(57)【要約】【課題】形態無線電話機に設けられた正面液晶および背面液晶の視認性を高める。【解決手段】照明１０が近接配置された導光板９を挟むように配置された正面液晶５と背面液晶７は、それぞれ電源を通電した状態で情報の表示を行い、電源を遮断した状態で反射率の高い状態になる。正面液晶５に情報を表示し可視化する場合は、正面液晶５の電源２１を通電状態にし、背面液晶７の電源２３を遮断状態にすることで、照明１０の光は導光板９の正面側から光Ａ  ２５ａとして正面液晶５を照射し、背面側からの光Ｂ  ２５ｂは、背面液晶７で反射され、光Ｂ’  ２５ｃとして透明の導光板９を透過して正面液晶５に照射される。また、外光２６は背面液晶７で反射され、外光の反射光２７として正面液晶５を照射する。背面液晶７に情報を表示する場合は、正面液晶５の電源２１を遮断状態にし、背面液晶７の電源２３を通電状態にする。【選択図】      図２
2005070603.tif 000002
【特許請求の範囲】
【請求項１】
正面に設けられた正面液晶表示装置と、この正面液晶表示装置と互いの裏面を対向させて背面に設けられた背面液晶表示装置とを備え、前記正面液晶表示装置および前記背面液晶表示装置は、双方とも情報表示の状態と高反射率の状態とに切り替えることが可能であることを特徴とする両面液晶表示装置。
【請求項２】
正面に設けられた正面液晶表示装置と、この正面液晶表示装置と互いの裏面を対向させて背面に設けられた背面液晶表示装置とを備え、前記正面液晶表示装置および前記背面液晶表示装置は、いずれか一方が情報表示の状態と高反射率の状態とに切り替えることが可能であることを特徴とする両面液晶表示装置。
【請求項３】
正面に設けられた正面液晶表示装置と、この正面液晶表示装置と互いの裏面を対向させて背面に設けられた背面液晶表示装置と、前記正面液晶表示装置および前記背面液晶表示装置を照明するためにこれらの間に設けられた導光板とを備え、前記正面液晶表示装置および前記背面液晶表示装置は、双方とも情報表示の状態と高反射率の状態とに切り替えることが可能であることを特徴とする両面液晶表示装置。
【請求項４】
正面に設けられた正面液晶表示装置と、この正面液晶表示装置と互いの裏面を対向させて背面に設けられた背面液晶表示装置と、前記正面液晶表示装置および前記背面液晶表示装置を照明するためにこれらの間に設けられた導光板とを備え、前記正面液晶表示装置および前記背面液晶表示装置は、いずれか一方が情報表示の状態と高反射率の状態とに切り替えることが可能であることを特徴とする両面液晶表示装置。
【請求項５】
前記正面液晶表示装置および前記背面液晶表示装置の一方を情報表示の状態にしたときは他方を高反射率の状態にすることを特徴とする請求項１または３に記載の両面液晶表示装置。
【請求項６】
前記正面液晶表示装置および前記背面液晶表示装置の一方が情報表示の状態と高反射率の状態とに切り替えることが可能である場合に、前記正面液晶表示装置および前記背面液晶表示装置の他方に情報を表示するときには、前記正面液晶表示装置および前記背面液晶表示装置の一方を高反射率の状態にすることを特徴とする請求項２または４に記載の両面液晶表示装置。
【請求項７】
請求項１、３または５に記載の両面液晶表示装置の前記正面液晶表示装置および前記背面液晶表示装置の双方または請求項２、４または６に記載の両面液晶表示装置の前記正面液晶表示装置および前記背面液晶表示装置の一方は、電源の投入により情報表示の状態になり、電源の遮断により高反射率の状態になることを特徴とする両面液晶表示装置。
【請求項８】
前記正面液晶表示装置および前記背面液晶表示装置は、互いにほぼ同じ大きさであることを特徴とする請求項１〜７のいずれかに記載の両面液晶表示装置。
【請求項９】
入力手段を備えた第１の筐体と、この第１の筐体にヒンジ機構を介して開閉可能に取り付けられた第２の筐体とを有する折り畳み式の携帯無線電話機において、前記第２の筐体に請求項１〜８のいずれかに記載の両面液晶表示装置を設けたことを特徴とする携帯無線電話機。
【請求項１０】
請求項１、３または５に記載の両面液晶表示装置の前記正面液晶表示装置および前記背面液晶表示装置の双方または請求項２、４または６に記載の両面液晶表示装置の前記正面液晶表示装置および前記背面液晶表示装置の一方は、前記ヒンジ機構の動作に従い情報表示の状態と高反射率の状態とが切り替えられることを特徴とする請求項９に記載の携帯無線電話機。
【請求項１１】
入力手段を備えた第１の筐体と、この第１の筐体にヒンジ機構を介して開閉可能に取り付けられた第２の筐体とを有する折り畳み式の携帯無線電話機において、前記第１および第２の筐体を互いに閉じたときに内側となる前記第２の筐体の正面に前記正面液晶表示装置を設け外側となる背面に前記背面液晶表示装置を設け、前記第１および第２の筐体を互いに開いた時に前記正面液晶表示装置を情報表示の状態とし前記背面表示装置を高反射率の状態にし、前記第１および第２の筐体を互いに閉じた時に前記正面液晶表示装置を高反射率の状態とし前記背面表示装置を情報表示の状態にすることを特徴とする請求項９または１０に記載の携帯無線電話機。
【発明の詳細な説明】
【技術分野】
【０００１】
本発明は、両面液晶表示装置および携帯無線電話機に関し、特に、折り畳み式の携帯電話機の表示側筐体の正面および背面の両面に液晶表示装置を設けた携帯無線電話機に関する。
【背景技術】
【０００２】
近年、携帯無線電話機は回転ヒンジを用いた折り畳み式の形態や、２方向以上に回転する自在ヒンジを用いた形態など多種多様化している。また、カメラを搭載するなど高機能化が進み、情報の表示を行う正面の表示装置に加え、背面にも表示装置を備えている。また、表示装置は表示可能な情報量を増やすため大型化が進んでいる。
【０００３】
しかしながら、従来の携帯無線電話機では、表示装置の大型化、カラー化、複数化、照明装置の高輝度化に伴い消費電力が増加しており、低消費電力化に課題があった。
【０００４】
図４は、従来の折り畳み式の携帯無線電話機の表示側筐体に設けられた正面液晶表示装置１０１および背面液晶表示装置１０４（正面液晶１０１および背面液晶１０４と略称）の構成を模式的に示す断面図である。
【０００５】
正面液晶１０１の裏面には透明材料（例えばプラスチックやガラス素材からなる）の導光板１０２を配置し、導光板１０２に光を導くようにＬＥＤによる照明１０３を近接配置する。同様に背面液晶１０４の裏面には透明材料の導光板１０５を配置し、導光板１０５に光を導くようにＬＥＤによる照明１０６を近接配置する。
【０００６】
ここで、正面液晶１０１および背面液晶１０４は、裏面に反射層１０１ａ、１０４ａを持つ液晶（いわゆる半透過型液晶）が用いられる。
【０００７】
次に、図４に示した従来の携帯無線電話機の動作について図５を用いて説明する。図５（ａ）〜（ｄ）は、正面液晶１０１および背面液晶１０４の動作を説明するための断面図である。
【０００８】
図５（ａ）において、正面液晶１０１に情報を表示し可視化する動作について説明する。正面液晶１０１の電源１０７をスイッチ１０８で通電状態にし、正面液晶１０１に情報を表示する。照明１０３の光は導光板１０２に導かれ、そして導光板１０２の正面側から光Ａ  １１１として正面液晶１０１を照射する。
【０００９】
ここで、導光板１０２に導かれた照明１０３の光は正面液晶１０１の反射層１０１ａを通過することで光量が減少するため、照明１０３の明るさを上げる必要がある。
【００１０】
次に、図５（ｂ）を用いて、日中の屋外など周囲が非常に明るい場所での正面液晶１０１の動作を説明する。正面液晶１０１に情報を表示し可視化するために、正面液晶１０１の電源１０７をスイッチ１０８で通電状態にし、正面液晶１０１に情報を表示する。外光１１２が正面液晶１０１に差し込むと、外光１１２は正面液晶１０１の反射層１０１ａで反射され、外光の反射光１１２ａとして正面液晶１０１を照射する。また、照明１０３の光は図５（ａ）の場合と同じ動作のため説明を省略する。
【００１１】
ここで、正面液晶１０１は反射層１０１ａにより反射されるが、反射層１０１ａの反射率を高くすると、照明１０３からの光のロスが大きくなるため、反射率は高く設定できず、視認性を高くできない。
【００１２】
次に、図５（ｃ）を用いて、背面液晶１０４に情報を表示し可視化する動作について説明する。背面液晶１０４の電源１０９をスイッチ１１０で通電状態にし、背面液晶１０４に情報を表示する。照明１０６の光は導光板１０５に導かれ、導光板１０５の背面側から光Ｂ  １１３として背面液晶１０４を照射する。
【００１３】
ここで、導光板１０５に導かれた照明１０６の光は背面液晶１０４の反射層１０４ａを通過することで光量が減少するため、照明１０６の明るさを上げる必要がある。
【００１４】
次に、図５（ｄ）を用いて、日中の屋外など周囲が非常に明るい場所での背面液晶１０４の動作を説明する。背面液晶１０４に情報を表示し可視化するために、背面液晶１０４の電源１０９をスイッチ１１０で通電状態にし、背面液晶１０４に情報を表示する。外光１１４が背面液晶１０４に差し込むと、外光１１４は背面液晶１０４の反射層１０４ａで反射され、外光の反射光１１４ａとして背面液晶１０４を照射する。また、照明１０６の光は図５（ｃ）の場合と同じ動作のため説明を省略する。
【００１５】
ここで、背面液晶１０４は反射層１０４ａにより反射されるが、反射層１０４ａの反射率を高くすると、照明１０６の光のロスが大きくなるため、反射率は高く設定できず、視認性を高くできない。
【００１６】
なお、特許文献１の実用新案登録３０９４０９１号には、光透過パネル、カラーフィルタ、透明電極、液晶層、偏向板およびバックライトから構成され、偏向板とバックライトとの間に半透明ミラー層を設けることにより、バックライトの消灯時には光透過パネルの表面側から入射する光を半透明ミラーで反射し、バックライトの点灯時にはバックライトの光が半透明ミラーを透過する携帯電話機用の液晶ディスプレイ装置が示されている。
【００１７】
また、特許文献２の特開２００２−９８９６３号公報には、液晶表示素子の後面に対向して導光板を設け、この導光板の後側に反射板を設け、導光板からの光による透過表示および外部入射光による反射表示のいずれでも明るい表示を得るようにした液晶表示装置が示されている。
【００１８】
【特許文献１】実用新案登録３０９４０９１号（請求項１）
【００１９】
【特許文献２】特開２００２−９８９６３号公報（請求項１）
【発明の開示】
【発明が解決しようとする課題】
【００２０】
上述のように、従来の正面液晶１０１および背面液晶１０４の２つの液晶表示装置を具備する両面液晶装置では、正面液晶１０１の裏面の反射膜１０１ａおよび背面液晶１０４の裏面１０４ａの反射膜を設けているため、情報表示の視認性を高くできないという問題がある。特許文献１の実用新案登録３０９４０９１号に示された液晶ディスプレイ装置でも、同様に視認性を高くできない。
【００２１】
本発明の目的は、正面液晶および背面液晶の２つの液晶表示装置を具備する両面液晶装置において、特別に反射層を設けることなく、外光による表示の視認性を高くすることにある。また、正面液晶または背面液晶を照明装置である導光板からの光で照らしたときの視認性も高くすることにもある。
【００２２】
なお、特許文献１の特開２００２−９８９６３号公報の液晶表示装置は、片面のみの液晶表示で、両面に表示するものでない点で本発明とは異なる。この点では、特許文献１の実用新案登録３０９４０９１号の液晶ディスプレイ装置も本発明と異なるものである。
【課題を解決するための手段】
【００２３】
請求項１に係る発明の両面液晶表示装置は、正面に設けられた正面液晶表示装置（図１の５）と、この正面液晶表示装置と互いの裏面を対向させて背面に設けられた背面液晶表示装置（図１の７）とを備え、前記正面液晶表示装置および前記背面液晶表示装置は、双方とも情報表示の状態と高反射率の状態とに切り替えることが可能であることを特徴とする。
【００２４】
請求項２に係る発明の両面液晶表示装置は、正面に設けられた正面液晶表示装置（図１の５）と、この正面液晶表示装置と互いの裏面を対向させて背面に設けられた背面液晶表示装置（図１の７）とを備え、前記正面液晶表示装置および前記背面液晶表示装置は、いずれか一方が情報表示の状態と高反射率の状態とに切り替えることが可能であることを特徴とする。
【００２５】
請求項３に係る発明の両面液晶表示装置は、正面に設けられた正面液晶表示装置（図１の５）と、この正面液晶表示装置と互いの裏面を対向させて背面に設けられた背面液晶表示装置（図１の７）と、前記正面液晶表示装置および前記背面液晶表示装置を照明するためにこれらの間に設けられた導光板（図１の９）とを備え、前記正面液晶表示装置および前記背面液晶表示装置は、双方とも情報表示の状態と高反射率の状態とに切り替えることが可能であることを特徴とする。
【００２６】
請求項４に係る発明の両面液晶表示装置は、正面に設けられた正面液晶表示装置（図１（ｂ）の５）と、この正面液晶表示装置と互いの裏面を対向させて背面に設けられた背面液晶表示装置（図１の７）と、前記正面液晶表示装置および前記背面液晶表示装置を照明するためにこれらの間に設けられた導光板（図１の９）とを備え、前記正面液晶表示装置および前記背面液晶表示装置は、いずれか一方が情報表示の状態と高反射率の状態とに切り替えることが可能であることを特徴とする。
【００２７】
請求項５に係る発明は、請求項１または３に記載の両面液晶表示装置において、前記正面液晶表示装置および前記背面液晶表示装置の一方を情報表示の状態にしたときは他方を高反射率の状態にすることを特徴とする。
【００２８】
請求項６に係る発明のは、請求項２または４に記載の両面液晶表示装置において、前記正面液晶表示装置および前記背面液晶表示装置の一方が情報表示の状態と高反射率の状態とに切り替えることが可能である場合に、前記正面液晶表示装置および前記背面液晶表示装置の他方に情報を表示するときには、前記正面液晶表示装置および前記背面液晶表示装置の一方を高反射率の状態にすることを特徴とする。
【００２９】
請求項７に係る発明の両面液晶表示装置は、請求項１、３または５に記載の両面液晶表示装置の前記正面液晶表示装置および前記背面液晶表示装置の双方または請求項２、４または６に記載の両面液晶表示装置の前記正面液晶表示装置および前記背面液晶表示装置の一方は、電源の投入により情報表示の状態になり、電源の遮断により高反射率の状態になることを特徴とする。
【００３０】
請求項８に係る発明は、請求項１〜７のいずれかに記載の両面液晶表示装置において、前記正面液晶表示装置および前記背面液晶表示装置は、互いにほぼ同じ大きさであることを特徴とする。
【００３１】
請求項９に係る発明の携帯無線電話機は、入力手段を備えた第１の筐体（図１の３）と、この第１の筐体にヒンジ機構（図１の４）を介して開閉可能に取り付けられた第２の筐体（図１の２）とを有する折り畳み式の携帯無線電話機（図１の１）において、前記第２の筐体に請求項１〜８のいずれかに記載の両面液晶表示装置を設けたことを特徴とする。
【００３２】
請求項１０に係る発明のは、請求項９に記載の携帯無線電話機において、請求項１、３または５に記載の両面液晶表示装置の前記正面液晶表示装置および前記背面液晶表示装置の双方または請求項２、４または６に記載の両面液晶表示装置の前記正面液晶表示装置および前記背面液晶表示装置の一方は、前記ヒンジ機構の動作に従い情報表示の状態と高反射率の状態とが切り替えられることを特徴とする。
【００３３】
請求項１１に係る発明は、請求項９または１０に記載の携帯無線電話機において、入力手段を備えた第１の筐体と、この第１の筐体にヒンジ機構を介して開閉可能に取り付けられた第２の筐体とを有する折り畳み式の携帯無線電話機において、前記第１および第２の筐体を互いに閉じたときに内側となる前記第２の筐体の正面に前記正面液晶表示装置を設け外側となる背面に前記背面液晶表示装置を設け、前記第１および第２の筐体を互いに開いた時に前記正面液晶表示装置を情報表示の状態とし前記背面表示装置を高反射率の状態にし、前記第１および第２の筐体を互いに閉じた時に前記正面液晶表示装置を高反射率の状態とし前記背面表示装置を情報表示の状態にすることを特徴とする。
【発明の効果】
【００３４】
正面液晶および背面液晶の２つの液晶による表示装置を具備する両面液晶表示装置において、電気的に情報の表示と反射率の高い状態を切り替え可能な液晶を用いることで、液晶を照らす内蔵の照明装置あるいは外光による光を２つの液晶の内の一方で反射し、光を高効率で他方の液晶に導くことが可能となり、また、正面液晶および背面液晶は反射層を必要としないため液晶を透過する光のロスが少なくでき、これらの液晶を内蔵の照明装置で照明する場合に、この内蔵の照明装置の省電力化を図ることができるという効果を有する。
【００３５】
また、照明装置を内蔵する場合でも、照明装置を内蔵しない場合でも、日中の屋外などの周囲が非常に明るい場所では、外光を効率高く反射させ、液晶を照射することが可能なため、視認性が高い表示装置を提供できる。
【００３６】
さらにまた、照明装置を内蔵する場合は、照明装置の光を正面液晶および背面液晶に導く導光板を共通化できるため、両面液晶表示装置の薄型化にも貢献する。
【発明を実施するための最良の形態】
【００３７】
次に、本発明を実施するための最良の形態について図面を参照して詳細に説明する。
【００３８】
図１（ａ）は本発明の実施の形態の携帯無線電話機１の斜め正面から見た斜視図、図１（ｂ）は側面図（部分断面図）、図１（ｃ）は背面図を示す。
【００３９】
携帯無線電話機１は、表示側筐体２と入力側筐体３とが回転ヒンジ４により回動自在に連結され、これらが互いに開閉する。図１は、表示側筐体２および入力側筐体３を互いに開いた状態の図である。表示側筐体２には表面表示部２ａおよび背面表示部２ｂを具備している。
【００４０】
図１（ｂ）における表示側筐体２の部分断面図に示すように、ＬＥＤによる照明１０は透明材料（例えばプラスチックやガラス素材からなる）の導光板９に光を導くように近接配置され、導光板９を挟むように正面液晶５と背面液晶７が配置され、それぞれが表面表示部２ａおよび背面表示部２ｂを構成している。
【００４１】
ここで、正面液晶５および背面液晶７は、電気的に情報の表示と反射率の高い状態を切り替え可能な液晶で構成する。
【００４２】
また、表示側筐体２に設置された正面液晶５を保護するために保護板６、背面液晶７を保護するために保護板８が設置されている。
【００４３】
次に、図１に示した携帯無線電話機の正面液晶５および背面液晶７の動作について図２を用いて説明する。
【００４４】
本実施の形態における正面液晶５および背面液晶７は、それぞれ電源を通電した状態で情報の表示を行い、電源を遮断した状態で反射率の高い状態になる液晶を用いている。
【００４５】
図２（ａ）において、正面液晶５に情報を表示し可視化する動作について説明する。
【００４６】
正面液晶５の電源２１をスイッチ２２で通電状態にし、背面液晶７の電源２３をスイッチ２４で遮断状態にする。このとき、正面液晶５は情報を表示し、背面液晶７は反射率の高い状態になる。照明１０の光は導光板９に導かれ、導光板９の正面側から光Ａ  ２５ａとして正面液晶５を照射する。また、導光板９の背面側から光Ｂ  ２５ｂとして背面液晶７を照射した光は背面液晶７が反射率の高い状態であるため、背面液晶７で反射され、光Ｂ’  ２５ｃとして透明の導光板９を透過して正面液晶５に照射される。
【００４７】
ここで、導光板９に導かれた照明１０の光は、正面側および背面側に出射された光の両方を正面液晶５に照射できるため、光が利用効率を高くできる。また、正面液晶５は反射層を必要としない液晶（いわゆる透過型液晶）のため、液晶を透過する光のロスを少なくできる。
【００４８】
次に、図２（ｂ）を用いて、日中の屋外など周囲が非常に明るい場所での正面液晶５の動作を説明する。
【００４９】
正面液晶５に情報を表示し可視化するために、正面液晶５の電源２１をスイッチ２２で通電状態にし、背面液晶７の電源２３をスイッチ２４で遮断状態にする。このとき、正面液晶５は情報を表示し、背面液晶７は反射率の高い状態になる。外光２６が正面液晶５に差し込むと、外光２６は正面液晶５および導光板９を透過し、背面液晶７に照射される。背面液晶７は反射率の高い状態になっているため、外光２６は背面液晶７で反射され、外光の反射光２７として正面液晶５を照射する。また、照明１０の光は図２（ａ）の場合と同じ動作のため説明を省略する。
【００５０】
ここで、正面液晶５は反射層を必要としないため、液晶を透過する外光２６のロスが少なく、かつ背面液晶７は外光２６を効率高く反射させ、正面液晶５を照射することが可能なため、視認性が高い表示装置を提供できる。
【００５１】
次に、図２（ｃ）を用いて、背面液晶７に情報を表示し可視化する動作について説明する。
【００５２】
背面液晶７の電源２３をスイッチ２４で通電状態にし、正面液晶５の電源２１をスイッチ２２で遮断状態にする。このとき、背面液晶７は情報を表示し、正面液晶５は反射率の高い状態になる。照明１０の光は導光板９に導かれ、導光板９の背面側から光Ｃ  ２８ａとして背面液晶７を照射する。また、導光板９の正面側から光Ｄ  ２８ｂとして正面液晶５を照射した光は正面液晶５が反射率の高い状態であるため、正面液晶５で反射され、光Ｄ’  ２８ｃとして透明の導光板９を透過して背面液晶７に照射される。
【００５３】
ここで、導光板９に導かれた照明１０の光は、正面側および背面側に出射された光の両方を背面液晶７に照射できるため、光の利用効率を高くできる。また、背面液晶７は反射層を必要としない液晶（いわゆる透過型液晶）のため液晶を透過する光のロスを少なくできる。
【００５４】
次に、図２（ｄ）を用いて、日中の屋外など周囲が非常に明るい場所での背面液晶７の動作を説明する。
【００５５】
背面液晶７に情報を表示し可視化するために、背面液晶７の電源２３をスイッチ２４で通電状態にし、正面液晶５の電源２１をスイッチ２２で遮断状態にする。このとき、背面液晶７は情報を表示し、正面液晶５は反射率の高い状態になる。外光２９が背面液晶７に差し込むと、外光２９は背面液晶７および導光板９を透過し、正面液晶５に照射される。正面液晶５は反射率の高い状態になっているため、外光２９は正面液晶５で反射され、外光の反射光３０として背面液晶７を照射する。また、照明１０の光は図２（ｃ）の場合と同じ動作のため説明を省略する。
【００５６】
ここで、背面液晶７は反射層を必要としないため液晶を透過する外光２９のロスが少なく、かつ正面液晶５は外光２９を効率高く反射させ、背面液晶７を照射することが可能なため、視認性が高い表示装置を提供できる。
【００５７】
図２（ａ）〜（ｄ）の動作において、正面液晶５のスイッチ２２と背面液晶７のスイッチ２４を、通電状態と遮断状態の相反する状態とすることで正面液晶５と背面液晶７の使い分けが可能となる。また、正面液晶５のスイッチ２２と背面液晶７のスイッチ２４を表示側筐体２および入力側筐体３の回動動作と連動して行うことで、携帯無線電話機１の形態に応じた表示装置の切り替えが可能となる。
【００５８】
例えば、図１に示すように携帯無線電話機１を開いた状態では、表面液晶５を電源の通電状態として情報を表示する状態にし、背面液晶７を電源の遮断状態として高反射率の状態とし、逆に、携帯無線電話機１を閉じた状態では、表面液晶５を電源の遮断状態として高反射率の状態にし、背面液晶７を電源の通電状態として情報を表示する状態とするようにできる。
【００５９】
なお、正面液晶５および背面液晶７は同等の大きさの装置としてもよいし、異なる大きさとしてもよい。また、正面液晶５または背面液晶７のいずれか一方のみを情報の表示と反射率の高い状態を切り替え可能な液晶で構成しても良い。この場合は、正面液晶５または背面液晶７の他方の視認性を高くすることができる。
【００６０】
正面液晶５および背面液晶７は同等の大きさの装置を使うことで光を周辺部まで概均一に液晶を照射できるが、正面液晶５より小型の背面液晶７を用い、正面液晶５のみ電気的に情報の表示と反射率の高い状態を切り替え可能な液晶で構成しても良い。この場合は、背面液晶７の視認性を高くすることができる。
【００６１】
なお、本実施の携帯では、正面液晶５、導光板９、および背面液晶７を近接して配置した例を示したが、これらを貼り合わせて設置しても良い。
【００６２】
また、上述の実施の形態では、正面液晶５および背面液晶７を携帯無線電話機１に設けた場合を示したが、本発明の正面液晶５および背面液晶７を備えた両面液晶表示装置は、携帯無線電話機に限られず様々なものに適用可能である。
【００６３】
図３は、本発明の他の実施の形態の両面液晶表示装置を模式的に示す断面図である。
【００６４】
図３に示す両面液晶表示装置は、正面液晶５および背面液晶７を照射する照明を有していない。正面液晶５および背面液晶７は、電気的に情報の表示と反射率の高い状態を切り替え可能な液晶で構成し、正面液晶５および背面液晶７を近接して設置、あるいは貼り合わせて設置する。
【００６５】
ここで、正面液晶５に情報を表示し可視化するために、正面液晶５の電源２１をスイッチ２２で通電状態にし、背面液晶７の電源２３をスイッチ２４で遮断状態にする。このとき、正面液晶５は情報を表示し、背面液晶７は反射率の高い状態になる。外光２６が正面液晶５に差し込むと、外光２６は正面液晶５を透過し、背面液晶７に照射される。背面液晶７は反射率の高い状態になっているため、外光２６は背面液晶７で反射され、外光の反射光２７として正面液晶５を照射する。
【００６６】
背面液晶７に情報を表示し可視化する動作も、正面液晶５に情報を表示し可視化する動作と同様のため、説明を省略する。
【００６７】
本実施の形態の両面液晶表示装置の効果として、外光を利用して液晶を照射することが可能なため、照明装置を排除することで、更なる省電力化が可能となる。また、照明装置の光を正面液晶および背面液晶に導く導光板を削除できるため、両面液晶表示装置の更なる薄型化にも貢献する。
【００６８】
また、特許文献２の特開２００２−９８９６３号公報の液晶表示装置のように特別に反射板を設けることなく正面液晶または背面液晶による外光の反射効率を高くし、情報表示の視認性を高めることができるとともに、更に装置の薄型化、低価格化に貢献できる。
【産業上の利用可能性】
【００６９】
本発明は、折り畳み式の携帯無線電話機の正面液晶および背面液晶に適用できる。
【図面の簡単な説明】
【００７０】
【図１】（ａ）、（ｂ）および（ｃ）は、それぞれ本発明の実施の形態の折り畳み式の携帯無線電話機１の開いた状態の斜視図、一部を断面にして示す側面図および背面図である。
【図２】図１に示した携帯無線電話機１の正面液晶５および背面液晶７の動作を説明するための模式的な断面図で、（ａ）は正面液晶５を情報表示状態とし照明１０の光で正面液晶５を照らした場合の図、（ｂ）は正面液晶５を情報表示状態とし外光２６で正面液晶５を照らした場合の図、（ｃ）は背面液晶７を情報表示状態とし照明１０の光で背正面液晶７を照らした場合の図、（ｄ）は背面液晶７を情報表示状態とし外光２６で背面液晶７を照らした場合の図である。
【図３】本発明の他の実施の形態の両面液晶表示装置の模式的な断面図である。
【図４】従来の折り畳み式の携帯無線電話機の表示側筐体に設けられた正面液晶１０１および背面液晶１０４の構成を模式的に示す断面図である。
【図５】図４に示した携帯無線電話機の正面液晶１０１および背面液晶１０４の動作を説明するための模式的な断面図で、（ａ）は正面液晶１０１を情報表示状態とし照明１０３の光で正面液晶１０１を照らした場合の図、（ｂ）は正面液晶１０１を情報表示状態とし外光１１２で正面液晶１０１を照らした場合の図、（ｃ）は背面液晶１０４を情報表示状態とし照明１０６の光で背正面液晶１０４を照らした場合の図、（ｄ）は背面液晶１０４を情報表示状態とし外光１１４で背面液晶１０４を照らした場合の図である。
【符号の説明】
【００７１】
１    携帯無線電話機
２    表示側筐体
２ａ    表面表示部
２ｂ    背面表示部
３    入力側筐体
４    回転ヒンジ
５    正面液晶
６    保護板
７    背面液晶
８    保護板
９    導光板
１０    照明
２１    電源
２２    スイッチ
２３    電源
２４    スイッチ
２５ａ    光Ａ
２５ｂ    光Ｂ
２５ｃ    光Ｂ’
２６    外光
２７    外光の反射光
２８ａ    光Ｃ
２８ｂ    光Ｄ
２８ｃ    光Ｄ’
２９    外光
３０    外光の反射光
１０１    正面液晶
１０１ａ    反射層
１０２    導光板
１０３    照明
１０４    背面液晶
１０４ａ    反射層
１０５    導光板
１０６    照明
１０７    電源
１０８    スイッチ
１０９    電源
１１０    スイッチ
１１１    光Ａ
１１２    外光
１１２ａ    外光の反射光
１１３    光Ｂ
１１４    外光
１１４ａ    外光の反射光
【図１】
2005070603.tif 000003
【図２】
2005070603.tif 000004
【図３】
2005070603.tif 000005
【図４】
2005070603.tif 000006
【図５】
2005070603.tif 000007